【手続補正書】
【提出日】平成24年1月5日(2012.1.5)
【手続補正１】
【補正対象書類名】特許請求の範囲
【補正対象項目名】全文
【補正方法】変更
【補正の内容】
【特許請求の範囲】
【請求項１】
異なる１または複数のユーザをそれぞれ登録され、登録ユーザにより指定されたクーポン情報を登録する複数のユーザ管理サーバ装置と、
前記１または複数のクーポン情報の格納場所のアドレス情報を、前記登録ユーザの携帯装置の識別情報と関連付けて登録し、店舗端末装置から前記クーポン情報の照会を受け付けるセンタサーバ装置とを備え、
前記複数のユーザ管理サーバ装置のそれぞれは、ユーザ端末装置から前記携帯装置の識別情報を取得し、その登録ユーザにより指定されたクーポン情報を前記登録ユーザおよび前記携帯装置の識別情報に関連付けて登録すると、そのクーポン情報の格納場所のアドレス情報および前記携帯装置の識別情報を前記センタサーバ装置へ通知し、前記店舗端末装置から前記アドレス情報を指定した送信要求を受信すると、そのアドレス情報により特定される前記クーポン情報をその店舗端末装置へ送信し、
前記センタサーバ装置は、前記店舗端末装置から前記携帯装置の識別情報を受信し、受信した前記携帯装置の識別情報が登録されている場合には、その携帯装置の識別情報に関連付けられている１または複数のクーポン情報の格納場所のアドレス情報をその店舗端末装置へ通知する、電子クーポン処理システム。
【請求項２】
１または複数のユーザが登録され、登録ユーザに対して所定のサービスを提供するユーザ管理サーバ装置において、
処理装置と、ネットワーク通信を行う通信装置とを備え、
前記処理装置は、
前記通信装置を介して、ユーザ端末装置から登録ユーザの携帯装置の識別情報を取得し、
その登録ユーザにより指定されたクーポン情報を前記登録ユーザおよび前記携帯装置の識別情報に関連付けて登録すると、前記通信装置を介して、そのクーポン情報の格納場所のアドレス情報および前記携帯装置の識別情報をセンタサーバ装置へ通知し、
前記通信装置を介して、前記センタサーバ装置よりそのクーポン情報の格納場所のアドレス情報を取得した店舗端末装置から前記アドレス情報を指定した送信要求を受信すると、そのアドレス情報により特定される前記クーポン情報をその店舗端末装置へ送信すること、
を特徴とするユーザ管理サーバ装置。
【請求項３】
前記処理装置は、前記クーポン情報の発行元である店舗事業者を特定し、特定した店舗事業者の識別情報を前記クーポン情報に関連付けて格納し、前記店舗端末装置から前記アドレス情報を指定した送信要求を受信すると、そのアドレス情報により特定される前記クーポン情報に関連付けられている前記店舗事業者の識別情報と、前記送信要求の送信元である前記店舗端末装置の前記店舗事業者の識別情報が一致する場合のみ、そのアドレス情報により特定される前記クーポン情報をその店舗端末装置へ送信する、請求項２記載のユーザ管理サーバ装置。
【請求項４】
前記処理装置は、前記携帯装置の識別情報を取得すると、その携帯装置の識別情報に関連付けられたディレクトリを特定し、そのディレクトリに前記クーポン情報のファイルが格納されると、そのクーポン情報のファイルの格納場所のアドレス情報および前記携帯装置の識別情報をセンタサーバ装置へ通知する、請求項２記載のユーザ管理サーバ装置。
【請求項５】
前記処理装置は、前記登録ユーザに割り当てられたファイルシステムを表示させる表示データを前記ユーザ端末装置に提供し、そのファイルシステム内で前記携帯装置の識別情報に関連付けられたディレクトリを監視し、前記ユーザ端末装置に対するユーザ操作に基づいて前記クーポン情報のファイルがそのディレクトリに格納されると、そのクーポン情報のファイルの格納場所のアドレス情報および前記携帯装置の識別情報をセンタサーバ装置へ通知する、請求項４記載のユーザ管理サーバ装置。
【請求項６】
前記処理装置は、前記携帯装置の識別情報とは異なるユーザ識別情報を受信し、そのユーザ識別情報に基づいてユーザ認証を実行し、正当なユーザを前記登録ユーザと判定し、前記登録ユーザについてのみ、前記クーポン情報を、前記登録ユーザおよび前記携帯装置の識別情報に関連付けて登録する、請求項２記載のユーザ管理サーバ装置。
【請求項７】
前記処理装置は、前記店舗端末装置に対して入力されたキー情報を前記送信要求とともに受信し、受信したキー情報と、前記クーポン情報に関連付けられて予め登録されているキー情報とが一致する場合のみ、そのアドレス情報により特定される前記クーポン情報をその店舗端末装置へ送信する、請求項２記載のユーザ管理サーバ装置。
【請求項８】
前記クーポン情報は、電子クーポンによる特典を画像としておよびデータまたはファイル名として記述された画像ファイルである、請求項２から請求項７のいずれか１項記載のユーザ管理サーバ装置。
【請求項９】
ユーザ端末装置から、登録されている登録ユーザの携帯装置の識別情報を取得するステップと、
前記登録ユーザにより指定されたクーポン情報を前記登録ユーザおよび前記携帯装置の識別情報に関連付けて登録し、前記クーポン情報の格納場所のアドレス情報および前記携帯装置の識別情報をセンタサーバ装置へ通知するステップと、
前記センタサーバ装置より前記クーポン情報の格納場所のアドレス情報を取得した店舗端末装置から、前記アドレス情報を指定した送信要求を受信した場合に、前記アドレス情報により特定される前記クーポン情報を前記店舗端末装置へ送信するステップと、
を有する、サービス提供方法。
【請求項１０】
ユーザ端末装置から、登録されている登録ユーザの携帯装置の識別情報を取得するステップ、
前記登録ユーザにより指定されたクーポン情報を前記登録ユーザおよび前記携帯装置の識別情報に関連付けて登録し、前記クーポン情報の格納場所のアドレス情報および前記携帯装置の識別情報をセンタサーバ装置へ通知するステップ、
前記センタサーバ装置より前記クーポン情報の格納場所のアドレス情報を取得した店舗端末装置から、前記アドレス情報を指定した送信要求を受信した場合に、前記アドレス情報により特定される前記クーポン情報を前記店舗端末装置へ送信するステップ、
をコンピュータに実行させるためのプログラム。
【手続補正２】
【補正対象書類名】明細書
【補正対象項目名】発明の名称
【補正方法】変更
【補正の内容】
【発明の名称】電子クーポン処理システム、ユーザ管理サーバ装置、サービス提供方法、およびプログラム
【手続補正３】
【補正対象書類名】明細書
【補正対象項目名】００５０
【補正方法】変更
【補正の内容】
【００５０】
まず、ユーザは、ユーザ端末装置２−ｊを操作して、自己の登録されているユーザ管理サーバ装置１−ｉにログインする（ステップＳ１）。その際、ユーザ端末装置２−ｊの通信処理部３４は、入力装置３１に対するユーザ操作に基づいてウェブブラウザプログラムを実行し、ディスプレイ３２に表示されたウェブブラウザに対してユーザ操作によりログインページのＵＲＬが入力されると、通信装置３３を制御して、ＨＴＴＰに従って、ネットワーク３を介してそのＵＲＬのウェブページを取得する。一方、ユーザ管理サーバ装置１−ｉの通信処理部１１ｂは、通信装置１５を介して、そのＵＲＬを指定したＨＴＴＰのコマンドを受信すると、ログインページファイルを送信する。ユーザ端末装置２−ｊの通信処理部３４は、ログインページファイルを取得すると、そのファイルに基づいてログインページをディスプレイ３２に表示させる。ログインページにおいて、入力装置３１に対するユーザ操作によりユーザＩＤおよびパスワード（すなわちユーザ固有の識別情報）が入力されると、通信処理部３４は、そのユーザＩＤおよびパスワードをユーザ管理サーバ装置１−ｉへ送信する。ユーザ管理サーバ装置１−ｉの通信処理部１１ｂは、そのユーザＩＤおよびパスワードを受信すると、ユーザテーブル２１を参照して、ユーザのログインを許可するか否かを判定するとともに、ユーザを特定する。ユーザ端末装置２−ｊを操作しているユーザが正規ユーザであれば、ユーザは、ユーザ管理サーバ装置１−ｉによって、ログインを許可される。ユーザ管理サーバ装置１−ｉは、ユーザＩＤに関連付けられたユーザ認証情報としてのセッション情報ＳＩＤを作成し、ユーザ端末装置２−ｊに送信する。ユーザ端末装置２−ｊでは、通信処理部３４により実現されるウェブブラウザによりこのセッション情報ＳＩＤが受信され、保持される。
【手続補正４】
【補正対象書類名】明細書
【補正対象項目名】００６０
【補正方法】変更
【補正の内容】
【００６０】
そして、このクーポン画像８２ｂをウェブブラウザ上で指定して、所定の操作を行うことにより、クーポン画像８２ｂの画像ファイルが、ユーザ端末装置２−ｊ内のファイルシステムに保存される（ステップＳ７）。ここでは、この画像ファイルがクーポンファイルとなる。その後、ユーザ管理サーバ装置１−ｉにより提供されたデスクトップ環境を表示するウェブブラウザにおいて、ユーザがユーザ端末装置２−ｊの入力装置３１を用いて所定の操作を行うと、ファイルアップロードダイアログがディスプレイ３２に表示される。入力装置３１に対するユーザ操作によりユーザ端末装置２−ｊ内のファイルシステムに保存されたクーポン画像８２ｂの画像ファイルが指定され、所定の送信コマンドが入力されると、通信処理部３４は、ＸＭＬＨｔｔｐリクエストを発行し、ユーザ管理サーバ装置１−ｉ内の、ログイン中のユーザのユーザＩＤに関連付けられて、クーポン画像８２ｂの画像ファイルを送信する（ステップＳ８）。ユーザ管理サーバ装置１−ｉは、取得したユーザＩＤに関連付けられたユーザディレクトリ２２に、クーポン画像８２ｂの画像ファイルを追加する。一方、ユーザ端末装置２−ｊにおけるウェブブラウザの１つのウィンドウに生成されたデスクトップ環境は、ディレクトリの新規作成等を監視している。この監視は、通信処理部３４が、定期的にユーザ管理サーバ装置１−ｉにリクエストを発行し、その応答からディレクトリの新規作成等の有無を判定することで行われる。このため、クーポン画像８２ｂの画像ファイルが追加されると、通信処理部１１ｂは、この定期的な監視への応答として、その画像ファイルの追加を通知する。通信処理部３４がその通知を受け取ると、ユーザ端末装置２−ｊにおけるウェブブラウザの１つのウィンドウに生成されたデスクトップ環境において、クーポン画像８２ｂの画像ファイルを示すアイコンをユーザ端末装置２−ｊのデスクトップ画面に表示させる。そして、クーポン画像８２ｂの画像ファイルのアイコンをカードディレクトリを表示する領域８１ｂに移動させるユーザ操作が入力装置３１に対して行われると、通信処理部３４は、そのユーザ操作に対応して、ユーザ管理サーバ装置１−ｉに対してクーポン画像８２ｂの画像ファイルをカードディレクトリへ移動させるコマンドを発行する。ユーザ管理サーバ装置１−ｉの通信処理部１１ｂによりこのコマンドが受信されると、ディレクトリ管理部１１ａにより、ファイルシステム１６ａ内でその画像ファイルがそのカードディレクトリへ移動させられる（ステップＳ９）。上述のようにユーザ端末装置２−ｊにおけるウェブブラウザの１つのウィンドウに生成されたデスクトップ環境はディレクトリの新規作成等を監視しているため、クーポン画像８２ｂの画像ファイルの移動を反映した表示の更新が行われる。